(57)【特許請求の範囲】
【請求項１】
タグ読取り器の送受信可能範囲から外れて位置決めされた隠蔽タグを読取るための方法であって、
タイヤに設置された前記タグの動作周波数で共振し、かつ、手動で支持可能なワンドの一端に固定されたアンテナを設けること、
前記タグの動作周波数で信号を受信することが可能な受信機を設けること、および、
前記タグと前記受信機の両方の送受信可能範囲内の場所に前記ワンドとともに前記アンテナを位置決めすることを含み、
前記タグからの信号は、前記アンテナによって受信され、前記受信機に無給電反射されることになる方法。
【請求項２】
前記アンテナは、一時的に手動で前記ワンドとともに位置決めされる請求項１に記載の方法。
【請求項３】
前記ワンドは絶縁性ワンドである請求項１に記載の方法。
【請求項４】
前記ワンドは伸長可能な絶縁性ワンドである請求項１に記載の方法。
【請求項５】
前記ワンドは伝導性ワンドである請求項１に記載の方法。
【請求項６】
前記ワンドは伸長可能な伝導性ワンドである請求項１に記載の方法。
【請求項７】
前記アンテナは、伝導性ワンドに電気結合されている請求項１に記載の方法。
【請求項８】
前記ワンドの他端を前記受信機に機械結合することをさらに含む請求項１に記載の方法。
【請求項９】
前記受信機は、前記タグの動作周波数で信号を送受信することが可能である請求項１に記載の方法。
【請求項１０】
タイヤに設置されたＲＦＩＤタグ用の無給電反射器を設けるためのシステムであって、
前記ＲＦＩＤタグの動作周波数で共振するアンテナと、
手動で支持可能なワンドとを備え、前記アンテナは、前記ワンドの第１の端部に固定され、
前記アンテナは、前記ＲＦＩＤタグからリモートデバイスへ信号を無給電反射するように構成されるシステム。
【請求項１１】
前記アンテナは、前記ＲＦＩＤタグと前記リモートデバイスの両方の送受信可能範囲内の場所に位置決めされる請求項１０に記載のシステム。
【請求項１２】
前記ワンドは伸長可能ワンドである請求項１０に記載のシステム。
【請求項１３】
前記ワンドは伝導性ワンドである請求項１０に記載のシステム。
【請求項１４】
前記アンテナは、前記ワンドに電気結合される請求項１３に記載のシステム。
【請求項１５】
前記ワンドは絶縁性ワンドである請求項１０に記載のシステム。
【発明の詳細な説明】
【技術分野】
【０００１】
本主題は、一般に、タイヤタグおよび関連するタイヤエレクトロニクスに関し、より詳細には、アンテナおよびこうしたアンテナを使用するための方法に関する。
【背景技術】
【０００２】
空気タイヤ構造に関する電子デバイスの組み込みは、多くの実際上の利点をもたらす。タイヤエレクトロニクスは、温度、圧力、タイヤ回転数、乗り物速度などのようなタイヤの種々の物理的パラメータに関する情報を得るためのセンサおよび他の部品を含むことができる。こうした性能情報は、タイヤ監視および警告システムにおいて有用になる場合があり、また、タイヤおよび／または乗り物に関連するいくつかのシステムを調節または制御するフィードバックシステムの一部としての潜在的な使用を有する場合がある。タイヤ構造に統合されたエレクトロニクスシステムによって提供されるさらに別の潜在的な能力は、商業的な乗り物アプリケーションのための資産追跡および性能特徴付けに相当する。
【０００３】
圧電ベース技術を使用するセンサが、種々の目的で種々のタイヤ実施形態で使用されてきた。たとえば、圧電素子は、タイヤ内で電力を生成するために使用されてきた。圧電センサは、タイヤ内の回転カウンタとして機能するために使用されてきた。圧電センサは、偏移、加速度、および他のパラメータを決定するために使用されてきた。
【０００４】
これらのデバイスの一部は、無線周波数（ＲＦ）機構を含み、ＲＦＩＤタグとして述べることができるタグに対応する場合がある。こうしたＲＦＩＤタグは、たとえば特定のタイヤのシリアル番号による識別用を含めて、さまざまな方法で使用することができる。製造場所および日時、タイヤ構成およびタイプに関する情報、製造業者名などのような、さらなる情報を提供することができる。
【０００５】
こうしたＲＦＩＤタグの一態様は、無線周波数信号によって情報がタグから読取られなければならないことである。しかし、たとえば、こうしたタグが設置されるトラックタイヤがＲＦエネルギーを吸収または遮断することがわかった。こうした事例では、たとえばデュアルマウント式タイヤの内側タイヤの内側側壁上に配置されたＲＦＩＤタグを読取ることは難しくなる場合がある。
【０００６】
こうしたタグを読取るための現行の方法は、一般に、３つの方策のうちの１つを含む。３つの方策とは、（１）ＲＦＩＤトランスポンダに電気接続されるアンテナを、タグの送受信可能範囲（ＬＯＳ）内に入るよう、ホイールウェル内に延在させること、（２）内蔵アンテナがタグの送受信可能範囲内に入るよう、完全であるがコンパクトなＲＦＩＤトランスポンダをホイールウェルの内側で物理的に保持すること、（３）または、許容可能な最大電力および利得を有するＲＦＩＤトランスポンダを使用し、トラックフレームおよびサスペンション部品などの部分からの反射によってタグを読取ることである。この最後のアプローチは、単純であるが、反射が非常にランダムであるため信頼性がない。最初の２つのアプローチは、人間工学、コスト、および脆弱性の欠点を有する。
【０００７】
多くのタイヤタグ読取り配置構成が開発されてきたが、アクセスが困難な場所に位置決めされたタイヤタグを読取るための頑健でかつ信頼性がある方法について必要性が残っている。主題の技術によって以降で提示される所望の特徴の全てを全体的に包含する設計は出現していない。
【０００８】
従来技術において遭遇され、また、本主題によって対処される、認識された特徴を考慮して、アクセス可能でない場所に配置されたＲＦＩＤタグをより容易に読取る改良型方法が開発された。
【発明の概要】
【発明が解決しようとする課題】
【０００９】
本主題の１つの例示的な実施形態は、タグ読取り器の送受信可能範囲から外れて位置決めされた隠蔽タグを読取るための方法に関する。
【課題を解決するための手段】
【００１０】
方法は、タグの動作周波数で共振するアンテナおよびタグの動作周波数で信号を受信することが可能な受信機を設けることを含む。アナテナは、タグと受信機の両方の送受信可能範囲内の場所にアンテナを位置決めされるため、タグからの信号は、アンテナによって受信され、それにより、受信機に再送信されることになる。
【００１１】
いくつかの実施形態では。アンテナは、一時的に手動で位置決めされ、また、絶縁性ワンドまたは伝導性ワンドによって支持することができ、絶縁性ワンドまたは伝導性ワンドは、いずれの事例も、伸長可能なワンドとして設けることができる。ワンドが伝導性である事例では、アンテナを、ワンドに電気結合することができる。特定の実施形態では、アンテナを支持するのを容易にするために、ワンドの一端を、受信機に機械結合することができる。
【００１２】
本主題の別の例示的な実施形態は、隠蔽無線周波数（ＲＦ）タグと通信するための方法に関する。こうした方法は、タグの動作周波数で共振するアンテナおよびタグの動作周波数で信号を送受信することが可能な送受信機を設けることを含む。こうした方法によれば、アンテナは、タグと送受信機の両方の送受信可能範囲内の場所にアンテナを位置決めされるため、タグと送受信機との間で交換される信号は、アンテナによって受信され、再送信されることになる。
【００１３】
本主題のさらに別の例示的な実施形態は、ＲＦＩＤタグ用の無給電反射器を設けるための方法に関する。こうした方法では、ＲＦＩＤタグの動作周波数で共振し、手動で支持可能なワンドの第１の端部に固定されるアンテナが設けられる。いくつかの実施形態では、ワンドは伸長可能ワンドとすることができる。選択された実施形態では、ワンドは、伝導性ワンドとすることができ、伝導性ワンドは、選択された実施形態では、伝導性ワンドを、アンテナに電気接続することができる。
【００１４】
必ずしも要約セクションで述べられていない本主題のさらなる実施形態は、上記要約実施形態で参照された特徴、コンポーネント、またはステップならびに／または本出願で別様に論じられる他の特徴、コンポーネント、またはステップの態様の任意の組合せを含み組込むことができる。本明細書の残りを検討すると、こうした実施形態および他の実施形態の特徴および態様を当業者はよりよく理解するであろう。
【００１５】
本発明の最良モードを含み、当業者を対象とする本発明の完全でかつ実施可能な程度の開示は、添付図を参照する本明細書で述べられる。
【図面の簡単な説明】
【００１６】
【図１】本技術による例示的な無給電反射器の図である。
【図２】送受信可能範囲外のタイヤタグの読取りを可能にするために本技術がそこで使用される方法を示す図である。
【図３】無給電反射器が隠蔽タグからの信号を最もよく再送するための位置関係を示す図である。
【図４】本技術による無給電反射器の別の実施形態を示す図である。
【図５】伸縮自在な支持体を使用して構築された無給電反射器のさらなる実施形態を示す図である。
【図６】圧潰可能な支持体を使用して構築された無給電反射器のさらなる実施形態を示す図である。
【図７】圧潰可能な支持体を使用して構築された無給電反射器のさらなる実施形態を示す図である。
【図８Ａ】アンテナ素子と支持構造との間の種々の考えられる位置関係を示す図（その１）である。
【図８Ｂ】アンテナ素子と支持構造との間の種々の考えられる位置関係を示す図（その２）である。
【図８Ｃ】アンテナ素子と支持構造との間の種々の考えられる位置関係を示す図（その３）である。
【図８Ｄ】アンテナ素子と支持構造との間の種々の考えられる位置関係を示す図（その４）である。
【図９Ａ】アンテナ素子用の種々の格納可能性を有する種々の考えられる圧潰可能な支持体およびアンテナ配置構成を示す図（その１）である。
【図９Ｂ】アンテナ素子用の種々の格納可能性を有する種々の考えられる圧潰可能な支持体およびアンテナ配置構成を示す図（その２）である。
【図９Ｃ】アンテナ素子用の種々の格納可能性を有する種々の考えられる圧潰可能な支持体およびアンテナ配置構成を示す図（その３）である。
【図９Ｄ】アンテナ素子用の種々の格納可能性を有する種々の考えられる圧潰可能な支持体およびアンテナ配置構成を示す図（その４）である。
【００１７】
本明細書および添付図面全体を通した参照文字の反復使用は、本発明の、同じまたは類似の特徴、要素、またはステップを示すことを意図される。
【発明を実施するための形態】
【００１８】
本発明の要約のセクションで論じたように、本主題は、一般に、搭載されるタイヤのアクセス可能でない場所に配置されたＲＦＩＤタグから情報を読取るための方法に関する。より特定の実施形態では、本技術がない場合、タグを読取ることができないと思われる位置に配置された、アクセス不能に配置されたタグを、従来の手持ち式リーダを使用して読取り可能にするためのリピータアンテナシステムが提供される。
【００１９】
開示される技術の態様の選択された組合せは、本発明の複数の異なる実施形態に対応する。本明細書で提示され論じられる例示的な実施形態のそれぞれは、本主題の制限をほのめかすべきでないことが留意されるべきである。一実施形態の一部として示されまたは述べられる特徴またはステップは、別の実施形態の態様と組合せて使用されて、なおさらなる実施形態をもたらすことができる。さらに、いくつかの特徴を、同じまたは同様の機能を果たす明示的に述べられないデバイスまたは特徴と相互交換することができる。
【００２０】
ここで図面を参照すると、図１は、本技術による例示的な無給電反射器１００の図である。無給電反射器１００は、支持要素１２０の一端に搭載された同調アンテナ１１０に対応する。無給電反射器１００は、動作時、アンテナ１１０が、送信デバイスに近接して設置されると、アンテナ１１０が同調される信号を受信し、再放射する点で、「無給電リピータ(passive repeater)」として機能する。一般に、アンテナ１１０と支持要素１２０の組合せ体は、これまで利用可能でなかった一時的な再送機能を提供する場所に対しする組合せ体のアンテナ部の位置決めをリアルタイムに可能にするように構成された無給電再送アンテナを有する完全に可搬型のワンドとみなすことができる。
【００２１】
ここで、図２および図３を参照すると、最良のリピータ機能のための同調アンテナ２１０、３１０の有利な設置を示すために、アンテナ２１０、３１０およびワンド２２０、３２０についての例示的な設置２００、３００が示される。図２と図３の両方で見られるように、アンテナ２１０、３１０は、より一般的には図３で示す隠蔽ＲＦＩＤタグ３４０に近接して設置され、一方、隠蔽タグは、大きなトランクのホイールウェル内でデュアルマウント式タイヤの内側タイヤの側壁に配置することができる。図２でより一般的に示すように、隠蔽タグ３４０は、送受信機２３０から問い掛け信号を最初に受信すると、こうした受信信号を無線周波数信号２３２として変調し再放射することになり、無線周波数信号２３２は、同調アンテナ２１０、３１０によって受信され、送受信機２３０、３３０に向かって信号２３４として再放射または再送信される。
【００２２】
その共振のせいで、無給電反射器アンテナは、隠蔽タグ３４０によって放射されるエネルギーの一部分を収集し、それ自身のアンテナ利得パターンに従ってエネルギーの一部分を再送信する。こうして、隠蔽タグ３４０によって再放射されるＲＦエネルギーの一部は、今や効果的に「角を曲がり(turned a corner)」、隠蔽タグから送受信機２３０、３３０への経路を見出す。同様に、前に述べたように、送受信器２３０、３３０が、隠蔽ＲＦＩＤタグ３４０に信号を送信する事例では、こうした送信信号は、本技術の使用によって、タイヤ３６０によって形成される角を回って方向転換して、隠蔽タグ３４０に対して増加したエネルギーおよび／または信号を提供にすることができる。
【００２３】
送受信機２３０、３３０は、こうしたデバイスが、タグ３４０からの再放射された信号を受信するように構成される点で、受信機として一般にみなすことができることがここで留意される。しかし、ほとんどの事例では、ＲＦＩＤタグは、自分自身の電源を持つのではなく、受信機にデータを送信するために、受信信号を再変調する、または、受信信号から電力を取出すように構成されることを当業者は理解するであろう。これらの事例では、送受信機２３０、３３０はまた、タグに質問するまたは問い掛ける、または、単に、タグが、その後、それ自身に電力供給するために使用するＲＦエネルギーを供給する送信機として働く。
【００２４】
いずれの事例でも、すなわち、タグ３４０から信号を受信するか、または、タグ３４０に信号を送信する場合、本技術によって教示される方法は、それぞれのアイテムが互いの送受信可能範囲視野から遮断される場合があるときに、デバイスの一方から他方に伝達される信号を再送するのに有用であり、それにより、両者間での信号強度を低減する。
【００２５】
図３をより詳細に参照すると、隠蔽ＲＦＩＤタグ３４０から信号を読取りたいと思うオペレータは、一方の手にワンド３２０を、他方の手に送受信機３３０を保持して、隠蔽タグ３４０のほぼ上でかつデュアルマウント式タイヤ３６０、３６２の内部タイヤ３６０の背後に延在するゾーン３５０内にアンテナ３１０を位置決めすることができる。隠蔽タグ３４０は「隠蔽されている(hidden)」ため、ゾーン３５０内での横方向移動を含む、最良の信号受信のためのある程度の量の「フィッシング(fishing)」が必要とされる場合がある。一方の手に送受信機３３０を、他方の手にワンド３２０を保持することに対する代替法として、ワンド３２０は、送受信機３３０に一時的にまたは永久的に取付けられて、一方の手によって全体の操作を実施することを容易にすることができる。
【００２６】
図１〜３をさらに参照すると、アンテナ１１０、２１０、３１０は、各事例において、半波長ダイポールアンテナに対応することができ、一方、支持体（ワンド）１２０、２２０、３２０は、絶縁性ワンドに対応することができる。例示的な構成では、アンテナ１１０、２１０、３１０は、ＲＦＩＤ周波数で伝導性がある銅ワイヤまたは等価物に対応することができる。例示的な構成では、ＲＦＩＤ周波数は、デバイスが動作する国に応じた政府規制によって変動する、一般的に使用されるこうした周波数に対応することができる。米国では、その周波数は約９１５ＭＨｚとすることができ、一方、ヨーロッパでは、その周波数は約８６８ＭＨｚとすることができる。例示的な構成では、９１５ＭＨｚ共振アンテナを、１５８ｍｍ長の１４ゲージアンテナワイヤによって提供することができ、一方、同様の８６８ＭＨｚ共振アンテナを、１６６．５ｍｍ長の１４ゲージアンテナワイヤによって提供することができる。
【００２７】
他の実施形態では、アンテナ１１０、２１０、３１０は、異なる形態をとることができ、銅およびニッケルをコーティングすることができる、または、プリント回路基板上で回路トレースを使用して構築することができる、コイル状ワイヤヘリックス、コイル状鋼つる巻きばねなどを含むことができる。コイル状導体構成は、より短い全体的アンテナ構造を可能にする。いくつかの事例では、コイル状導体は、誘電体材料に埋め込むことができる、または、誘電体材料に接触することができる。この可能性に関するさらなる議論は、図４の実施形態に関して提供される。しかし、空気より大きい誘電率および／または透磁率を有する材料とのこうした接触または準接触はまた、共振長を短縮することになることがここで留意される。こうしたものの一例は、トランシーバー等の上で使用される「ゴム製ダッキー(rubber ducky)」アンテナと呼ばれることがある、柔軟性誘電体に埋め込まれたコイル状アンテナである。しかし、全ての事例において、アンテナは、ＲＦＩＤタグの動作周波数に同調される、すなわち、その動作周波数で共振する。
【００２８】
支持体（ワンド）１２０、２２０、３２０に関して、こうした構造は、一部の実施形態では、フィッシングポールと同様のファイバグラスポールなどの絶縁支持体に対応することができる。木材およびプラスチックを含む他の材料が、同様に使用される場合がある。こうした支持体についての１つの望ましい特徴は、破断を回避するために少なくともわずかな柔軟性が含む。柔軟性は、径または断面のような物理的測定と共に使用される材料の選択を含むさまざまな方法で達成することができる。
【００２９】
ここで図４を参照すると、本技術による無給電反射器４００の代替の実施形態が示される。図４に示す本主題の実施形態によれば、支持体またはワンドは、伝導部４２０およびプラスチックで作ることができる絶縁部４３０を含む２ピース構成に対応することができる。絶縁部４３０は、伝導部４２０を受取るために「Ｖ」形状で構成することができ、伝導部４２０は、伝導性ワイヤ、たとえば、組成がアンテナ４１０と同様かまたは同一の銅ワイヤに対応することができ、また、アンテナ４１０にはんだ付けすることができる。絶縁部４３０は、その後、伝導部４２０の指向性操作に悪い影響を及ぼすことなく、オペレータの手で保持することができる。
【００３０】
代替の構成では、鋼またはアルミニウムを、伝導部４２０のために使用することができる。伝導部４２０を支持する絶縁部４３０のなおさらなる代替の構成を提供することができる。たとえば、ＰＶＣチュービングの一部分が使用されて、チュービングに挿入される伝導部を支持することができる。しかし代替的に、ファイバグラス被覆内に収容される伝導性ワイヤは、ワイヤの露出部がアンテナにはんだ付けされる場合に使用することができる。この構成では、タグと送受信機との間で伝達される信号量を増加させるために、伝導部４２０が、アンテナ４１０用の「ダイレクタ(director)」素子として部分的に働くことになることがわかった。
【００３１】
好ましい実施形態では、アンテナは、銅または銅合金で作られるが、他の良導体が、同様に使用されうる。ＵＨＦ周波数において、電磁波は、伝導性材料の表面層上を搬送される。したがって、アンテナは、表面層上を搬送する波を提供するために、鋼またはＵＨＦで十分に伝導しない他の材料で物理的に作られ、数ミクロンの高伝導性材料でコーティングされうる。
【００３２】
伝導性ワンドは、非伝導性ワンドと比べて、かなりよい結果を与えることがわかった。しかし、ワンドの正確な長さは、重要であるように思えず、したがって、任意の長さのワンドが許容可能である。同様に、ワンドに沿う送受信機（読取り器）の設置の正確な場所もまた、重要であるように思えないため、任意の設置が許容可能である。
【００３３】
ここで図５〜９を参照すると、アンテナおよび支持構造についてのさまざまな異なる構成が示され、その全てが、持運びおよび／または保管を容易にするためにより小さなパッケージに折り畳むことができる、本技術と共に使用可能なデバイスの可搬型構成を示す目的を有する。
【００３４】
図５を参照すると、持運びおよび保管のために伸縮することができる測定用テープ５２４を含むワンド５２０の形態のデバイス５００が示される。アンテナ５１０は、テープ５２４の露出端に絶縁テープ５２２によって取付けることができる。組合せ式デバイスは、その後、図１〜４に示す種々のデバイスと同様の方法で使用することができる。
【００３５】
図６は、入れ子式支持体６２０であって、入れ子式支持体６２０の一端に結合されたアンテナ６１０を有する、入れ子式支持体６２０に対応するデバイス６００を示す。入れ子式支持体６２０は、たとえば、講義者のポインタ、または、たとえばラジオまたはテレビジョン受信機上で使用される入れ子式アンテナに対応することができる。
【００３６】
図７は、折り畳み可能支持構造７２０の一端に結合されたアンテナ７１０を含むデバイス７００のさらに別の実施形態を示す。折り畳み支持構造７２０は、たとえば折り畳み式の大工の物差しに機能が対応することができる。一般に、入れ子式または折り畳み可能構成の場合、デバイスの支持部は、デバイスが、デュアルマウント式タイヤ内の内側タイヤの内側側壁上でＲＦＩＤタグを読取るのを補助するために使用されるとき、約３０”長〜約４８”長の範囲にあるべきである。他の状況で使用されるとき、ワンドは、要求に応じてより短いかまたはより長い場合がある。
【００３７】
一部の事例では、圧潰可能ワンドが必要とされないことがありうる。こうした場合、ワンドに内蔵した永久的湾曲部(bend)を設けること、または、たとえば自在スタンドと同様の方法で半永久的に変形されうる材料または組成物から、ワンドの全てまたは一部を作ることなどの他の可能性が利用可能である。
【００３８】
しかし代替的に、アンテナ設置は、好ましくは、ワンドの端部上に芯出しされてバランスを取られるが、アンテナが、多少、さらに端部で支持される程度まで、オフセットする場合、効率は減少するが、アンテナがうまく働くことが可能である。図８Ａ〜８Ｄは、図８Ａの芯出しされた垂直の好ましい構成、図８Ｂおよび図８Ｄの端部支持構成、ならびに、図８Ｃの芯出しされるが、ワンドに対して垂直でない構成を含む可能性を示す。アンテナ８１０がワンド８２０に対して垂直でない図８Ｃおよび図８Ｄの構成では、ワンドとアンテナとの間の角度は、重大な効率の損失なしで、３０〜４５°程度の大きな値まで変動する場合がある。
【００３９】
いくつかの実施形態では、全体の構造を小さなパッケージに圧潰する方法を提供することが望ましい場合があり、小さなパケージは、たとえば、容易に損傷されない頑丈なポケットに入れて運ぶのが容易で、また、迅速に展開するのが容易である。本開示が与えられると、当業者は、これらの目的を達成するための多くのオプションを想像できることになるが、いくつかの非制限的な例を、図９Ａ〜９Ｄに見ることができる。
【００４０】
図９Ａでは、入れ子式支持体９２０は、折り畳み可能アンテナ９１０用の支持体を提供する。こうした実施形態では、アンテナ９１０は、圧潰式で入れ子式の支持体９２０の本体に対して矢印の方向に折り畳むことができる。
【００４１】
図９Ｂは、圧潰式で入れ子式の支持体９２０の本体に平行に位置決めされるために、アンテナ９１０が、その中央部の周りに旋回するように構成されることを除いて同様の構成を示す。
【００４２】
図９Ｃは、アンテナ９１０が、矢印１の方向に摺動し、矢印２の方向に回転し、次に、矢印３で示すように、入れ子式支持体９２０の端部に挿入される代替の構成を示す。
【００４３】
最後に、図９Ｄに示すように、アンテナ９１０を、支持ワンド９２０から切離し、次に、圧潰式で入れ子式の支持体９２０の本体の側面に固定することができる。切離されたアンテナ９１０を、クリップまたは他のタイプの締結具を使用して固定することができる、または、アンテナは、別々に保管される場合がある。
【００４４】
一般に、述べた実施形態の全てに関して、アンテナは、ワンドから絶縁されうる、または、ワンドに電気的に結合されうる。さらに、アンテナを、制限することなく、クリップ、ネジ状締結具、リベット、マグネット、スリーブ、ループ、接着剤、および接着テープによることを含む、いくつかの方法の任意の方法でワンドの端部に保持することができる。
【００４５】
折り畳み構造が選択される事例では、アンテナの折り畳み用の２つの半分の間に良好な電気伝導性を維持することが重要である。こうしたことは、ピボット点において一貫した垂直力を維持するメカニズムを有する、ピボット点における適切な金属およびすべり接合によって行われうる、または、アンテナの２つの半分の間で接続される、短く非常に柔軟性がありかつ疲労耐性がある「ジャンパワイヤ(jumper wire)」によって行われうる。
【００４６】
なおさらなる構成では、アンテナは、さらなる所望のＲＦ指向性を与えることになる、多素子アンテナまたは何らかの他の構成、たとえば、パッチアンテナとして構成されうる。しかし、こうした利益は、ワンドの端部におけるサイズおよび重量の増加と引き換えに得られることになるが、いくつかの状況では、トランスポンダとタグとの間の信号経路の強度を増加しうるため有利である場合がある。
【００４７】
本主題は、本主題の特定の実施形態に関して詳細に述べられたが、当業者が、上記の理解を達成すると、こうした実施形態に対する変更物、変形物、および等価物を容易に生成することができることが理解されるであろう。したがって、本開示の範囲は、制限ではなく例によっており、本開示は、当業者に容易に明らかになるように、本主題に対するこうした修正、変形、および／または追加の包含を排除しない。
【図１】
0005736088.tif 000002
【図２】
0005736088.tif 000003
【図３】
0005736088.tif 000004
【図４】
0005736088.tif 000005
【図５】
0005736088.tif 000006
【図６】
0005736088.tif 000007
【図７】
0005736088.tif 000008
【図８Ａ】
0005736088.tif 000009
【図８Ｂ】
0005736088.tif 000010
【図８Ｃ】
0005736088.tif 000011
【図８Ｄ】
0005736088.tif 000012
【図９Ａ】
0005736088.tif 000013
【図９Ｂ】
0005736088.tif 000014
【図９Ｃ】
0005736088.tif 000015
【図９Ｄ】
0005736088.tif 000016